(57)【要約】      （修正有）【課題】天井の低い作業場や倉庫内でも長尺の吊り上げ物を容易に吊り上げて搬送することができるクレーン用吊り上げ装置を提供する。          【解決手段】横長のフレーム１１の上部中央に、クレーンのジブ４のワイヤー５に取付けたフック６を掛ける、フック取付け部１２を形成すると共に、前記フレーム１１の長手方向に沿って間隔をおいて２個の巻き取りドラム１３Ａ、１３Ｂを回転自在に軸支し、この巻き取りドラム１３Ａ、１３Ｂのフランジ１８にラチェット機構２１を取付けると共に、スリング２の一端を丸太１に巻き付けて、他端を巻き取りドラム１３Ａ、１３Ｂに連結する引っ掛け部１７を設けて、左右のスリング２の長さを、それぞれの巻き取りドラム１３Ａ、１３Ｂで調整して丸太１をほぼ水平に吊り上げられるように構成する。【選択図】図２
2007008606.tif 000002
【特許請求の範囲】
【請求項１】
横長のフレームの上部中央に、クレーンのワイヤーに取付けたフックを掛ける、フック取付け部を形成すると共に、前記フレームの長手方向に沿って間隔をおいて２個の巻き取りドラムを回転自在に軸支し、この巻き取りドラムのフランジにラチェット機構を取付けると共に、ワイヤまたはスリングの一端を吊り上げ物に巻き付けて、他端を巻き取りドラムに連結する引っ掛け部を設けて、左右のワイヤーまたはスリングの長さを、それぞれの巻き取りドラムで調整して吊り上げ物をほぼ水平に吊り上げるようにしたことを特徴とするクレーン用吊り上げ装置。
【請求項２】
横長のフレームを上下が開口した枠状に形成し、この内側に間隔をおいて２個の巻き取りドラムを回転自在に軸支したことを特徴とするクレーン用吊り上げ装置。
【発明の詳細な説明】
【技術分野】
【０００１】
本発明は、長尺の吊り上げ物を安定して吊り上げるクレーン用吊り上げ装置に関するものである。
【背景技術】
【０００２】
一般に、重量物はクレーンにより吊り上げているが、移動式のジブクレーンでは例えば図４に示すように、吊り上げ物として丸太１を吊り上げて搬送する場合、丸太１の中間部分の２か所にスリング２を巻き付けて、その一方の輪３に他方の輪３を通して、これをジブ４の先端から垂下させたワイヤー５の下端に取付けたフック６に引っ掛けて吊り上げていた。
【０００３】
しかしながら、スリング２を丸太１の中間部分の２か所に巻き付けて、これらの上部を合わせて１つのフック６に掛けるのでバランスを取るのが難しく、丸太１が大きく傾いてしまうことがある。このように丸太１が大きく傾くと、ジブ４を長く伸ばして、角度を大きくしないと床面から持ち上げることができず、屋外で吊り上げる場合には差し支えないが、天井の低い作業場や倉庫内で吊り上げる場合、ジブ４の先端が天井に当ってしまう問題がある。このため、丸太１をほぼ水平に保持できるようにスリング２の巻き付け位置を修正する必要があり、作業性が悪い問題があった。
【発明の開示】
【発明が解決しようとする課題】
【０００４】
本発明は上記問題を改善し、天井の低い作業場や倉庫内でも長尺の吊り上げ物を容易に吊り上げて搬送することができるクレーン用吊り上げ装置を提供するものである。
【課題を解決するための手段】
【０００５】
本発明の請求項１記載のクレーン用吊り上げ装置は、横長のフレームの上部中央に、クレーンのワイヤーに取付けたフックを掛ける、フック取付け部を形成すると共に、前記フレームの長手方向に沿って間隔をおいて２個の巻き取りドラムを回転自在に軸支し、この巻き取りドラムのフランジにラチェット機構を取付けると共に、ワイヤーまたはスリングの一端を吊り上げ物に巻き付けて、他端を巻き取りドラムに連結する引っ掛け部を設けて、左右のワイヤーまたはスリングの長さを、それぞれの巻き取りドラムで調整して吊り上げ物をほぼ水平に吊り上げるようにしたことを特徴とするものである。
【０００６】
本発明の請求項２記載のクレーン用吊り上げ装置は、横長のフレームを上下が開口した枠状に形成し、この内側に間隔をおいて２個の巻き取りドラムを回転自在に軸支したことを特徴とするものである。
【発明の効果】
【０００７】
本発明に係る請求項１記載のクレーン用吊り上げ装置によれば、ラチェット機構を取付けた２個の巻き取りドラムに、吊り上げ物の中間部分の２カ所に巻きつけたワイヤーまたはスリングの一端を取付け、その巻き取り長さを調整することにより長尺の吊り上げ物を、ほぼ水平に吊りあげることができるので、ジブを少し上昇させるだけで吊り上げ物が床面から離れ、天井の低い作業場や倉庫内でも長尺の吊り上げ物を容易に吊り上げて搬送することができる。
【０００８】
また請求項２記載のクレーン用吊り上げ装置によれば、横長のフレームを上下が開口した枠状に形成し、この内側に間隔をおいて２個の巻き取りドラムを回転自在に軸支したので、装置の重心バランスが取れ、安定して吊り上げることができる。
【発明を実施するための最良の形態】
【０００９】
以下本発明の実施の一形態を図１および図２を参照して詳細に説明する。図において１０はクレーン用吊り上げ装置を示すもので、これは上下が開口した横長の枠状フレーム１１の上部中央に、ジブ４の先端から垂下したワイヤー５の下端に取付けたフック６を掛けるフック取付け部１２が設けられている。また枠状フレーム１１の長手方向に沿って間隔をおいて２個の巻き取りドラム１３Ａ、１３Ｂが軸１４に回転自在に軸支されている。巻き取りドラム１３Ａ、１３Ｂの胴部１６にはスリング２の一端に設けた輪３を引っ掛けて連結する引っ掛け部１７が形成されている。
【００１０】
また巻き取りドラム１３Ａ、１３Ｂを構成する片側のフランジ１８には爪車１９が形成されている。またこの爪車１９に噛合する爪部２０が、枠状フレーム１１の上部左右にそれぞれ回動自在に取付けられ、この爪車１９と爪部２０で一方向に回転するラチェット機構２１が形成されている。この場合、巻き取りドラム１３Ａ、１３Ｂのラチェット機構２１は、互いに逆方向に回転するように取付けられている。
【００１１】
上記構成のクレーン用吊り上げ装置１０で図２に示すように、長い丸太１を吊り上げて搬送する場合、先ずジブ４の先端から垂下したワイヤー５を下げてきて、この下端に取付けたフック６をクレーン用吊り上げ装置１０のフック取付け部１２に引っ掛けてから、ワイヤー５を巻上げて丸太１の上方にクレーン用吊り上げ装置１０を吊り下げる。
【００１２】
次いで丸太１の中間部分の２か所にスリング２を巻き付けて、そのスリング２の一方の輪３に他方の輪３を通して、この輪３をそれぞれの巻き取りドラム１３Ａ、１３Ｂの胴部１６に形成した引っ掛け部１７に引っ掛けて矢印方向に回転させて、丸太１がほぼ水平になるようにする。
【００１３】
この後、ワイヤー５をクレーンの巻上げ装置により巻上げていくと、クレーン用吊り上げ装置１０が引き上げられ、巻き取りドラム１３Ａ、１３Ｂはラチェット機構２１により逆方向の回転が阻止されているので、２本のスリング２、２で吊り上げられた丸太１は、バランスが取れてほぼ水平の状態で吊り上げられる。このためジブ４を少し上昇させるだけで丸太１が床面から離れるので、天井の低い作業場や倉庫内でも容易に吊り上げて搬送することができる。また搬送が終わったら、爪部２０を上げて巻き取りドラム１３Ａ、１３Ｂを逆回転させてスリング２を繰り出し、最後に引っ掛け部１７からスリング２の輪３を取り外す。
【００１４】
図３は本発明の異なる他の実施の形態を示すもので、フレーム１１を１枚の厚い鋼板２２を立てた状態で形成し、この上部中央にフック６を掛けるフック取付け部１２が設けられている。またフレーム１１の一方の側面には、その長手方向に沿って間隔をおいて２個の巻き取りドラム１３Ａ、１３Ｂが軸１４に回転自在に軸支されている。この巻き取りドラム１３Ａ、１３Ｂを構成する片側のフランジ１８に爪車１９が形成されている。
【００１５】
またこの爪車１９に噛合する爪部２０が、フレーム１１の側面の左右にそれぞれ回動自在に取付けられ、この爪車１９と爪部２０で一方向に回転するラチェット機構２１が形成されている。また巻き取りドラム１３Ａ、１３Ｂの爪車１９を形成した片側のフランジ１８の内側面には、ワイヤー２３の一端に設けた輪３を引っ掛けて連結する丸棒状の引っ掛け部１７が突設されている。
【００１６】
上記構成のクレーン用吊り上げ装置１０で、長い丸太１を吊り上げて搬送する場合、丸太１の中間部分の２か所にワイヤー２３を巻き付けて、そのワイヤー２３の一方の輪３に他方の輪３を通して、この輪３をそれぞれの巻き取りドラム１３Ａ、１３Ｂのフランジ１８に突設した丸棒状の引っ掛け部１７に引っ掛けて矢印方向に回転させて、ほぼ水平に調整することにより、丸太１を安定して吊り上げることができる。
【産業上の利用可能性】
【００１７】
なお上記説明では長尺の丸太を吊りあげて搬送する場合について示したが、鋼材などの長尺物の吊り上げに効果的である。また長尺物に限らず、ボックス状のものでも安定して吊りあげることができる。
【図面の簡単な説明】
【００１８】
【図１】本発明の実施の一形態によるクレーン用吊り上げ装置の斜視図である。
【図２】図１のクレーン用吊り上げ装置で丸太を吊り上げている状態を示す断面図である。
【図３】本発明の他の実施の形態によるクレーン用吊り上げ装置で、丸太を吊り上げている状態を示す断面図である。
【図４】従来のジブクレーンで丸太を吊り上げている状態を示す側面図である。
【符号の説明】
【００１９】
１    丸太                                                  
２    スリング                                              
３    輪                                                    
４    ジブ                                                  
５    ワイヤー                                              
６    フック                                                
１０  クレーン用吊り上げ装置                                
１１  フレーム                                              
１２  フック取付け部                                        
１３Ａ、１３Ｂ  巻き取りドラム
１４  軸                                                    
１６  胴部                                                  
１７  引っ掛け部                                            
１８  フランジ                                              
１９  爪車                                                  
２０  爪部                                                  
２１  ラチェット機構                                        
２２  鋼板                                                  
２３  ワイヤー                                              
【図１】
2007008606.tif 000003
【図２】
2007008606.tif 000004
【図３】
2007008606.tif 000005
【図４】
2007008606.tif 000006